(57)【特許請求の範囲】
【請求項１】
印刷機を用いて作成される印刷物の色を予測する印刷色予測方法において、
印刷に使用する対象印刷基材の分光反射率と、印刷に使用する色材の物性値とに基づき、前記対象印刷基材上に前記色材を用いて形成される面積率０％及び１００％の組み合わせからなるベタの印刷物の予測測色値を算出し、
標準印刷基材上に前記色材を用いて形成される面積率０％及び１００％の組み合わせからなるベタのカラーチャートの実測測色値と前記予測測色値とのベタ差分値を算出し、
前記ベタ差分値に基づき、前記対象印刷基材上に前記色材を用いて形成される中間調の面積率からなる印刷物の中間調差分値を算出し、
前記標準印刷基材上に前記色材を用いて形成される所定の面積率からなる前記カラーチャートの実測測色値と前記中間調差分値とを用いて、前記対象印刷基材上に前記色材を用いて形成される任意の面積率からなる印刷物の色を予測する
ことを特徴とする印刷色予測方法。
【請求項２】
請求項１記載の方法において、
前記物性値は、印刷に使用する前記色材の固有反射率、散乱係数及び吸収係数のうちの独立な２つの物性値であることを特徴とする印刷色予測方法。
【請求項３】
請求項１又は２に記載の方法において、
前記所定の面積率からなる前記カラーチャートの実測測色値に対して、前記ベタ差分値を前記所定の面積率に応じて配分して得た前記中間調差分値を加算することで、前記対象印刷基材上に前記色材を用いて形成される前記所定の面積率からなる印刷物の予測測色値を算出することを特徴とする印刷色予測方法。
【請求項４】
請求項１〜３のいずれか１項に記載の方法において、
前記対象印刷基材上に前記色材を用いて形成される印刷物の色は、クベルカ・ムンク（Ｋｕｂｅｌｋａ−Ｍｕｎｋ）の理論式に基づいて予測することを特徴とする印刷色予測方法。
【請求項５】
請求項３記載の方法において、
前記所定の面積率に対する前記中間調差分値は、ノイゲバウア（Ｎｅｕｇｅｂａｕｅｒ）式に基づいて前記ベタ差分値を配分した値であることを特徴とする印刷色予測方法。
【請求項６】
請求項１〜５のいずれか１項に記載の方法において、
前記所定の面積率からなる前記カラーチャートの実測測色値と、前記面積率との関係を標準印刷基材プロファイルとして設定し、前記標準印刷基材プロファイルを前記ベタ差分値及び前記中間調差分値に従って補正することで、前記対象印刷基材に対する対象印刷基材プロファイルを作成することを特徴とする印刷色予測方法。
【請求項７】
印刷機を用いて作成される印刷物の色を予測する印刷色予測システムにおいて、
印刷に使用する対象印刷基材の分光反射率と、印刷に使用する色材の物性値とに基づき、前記対象印刷基材上に前記色材を用いて形成される面積率０％及び１００％の組み合わせからなるベタの印刷物の予測測色値を算出するベタ予測測色値算出部と、
標準印刷基材上に前記色材を用いて形成される面積率０％及び１００％の組み合わせからなるベタのカラーチャートの実測測色値と前記予測測色値とのベタ差分値を算出するベタ差分値算出部と、
前記ベタ差分値に基づき、前記対象印刷基材上に前記色材を用いて形成される中間調の面積率からなる印刷物の中間調差分値を算出する中間調差分値算出部と、
前記標準印刷基材上に前記色材を用いて形成される所定の面積率からなる前記カラーチャートの実測測色値と前記中間調差分値とを用いて、前記対象印刷基材上に前記色材を用いて形成される印刷物の色を予測する印刷予測プロファイルを作成する印刷予測プロファイル作成部と、
を備え、前記印刷予測プロファイルを用いて印刷物の色を予測することを特徴とする印刷色予測システム。
【請求項８】
請求項７記載のシステムにおいて、
前記物性値は、印刷に使用する前記色材の固有反射率、散乱係数及び吸収係数のうちの独立な２つの物性値であることを特徴とする印刷色予測システム。
【請求項９】
印刷機を用いて作成される印刷物の色を予測する印刷色予測システムにおいて、
印刷に使用する対象印刷基材の分光反射率と、印刷に使用する色材の物性値とに基づき、前記対象印刷基材上に前記色材を用いて形成される面積率０％及び１００％の組み合わせからなるベタの印刷物の予測測色値を算出するベタ予測測色値算出部と、
標準印刷基材上に前記色材を用いて形成される面積率０％及び１００％の組み合わせからなるベタのカラーチャートの実測測色値と前記予測測色値とのベタ差分値を算出するベタ差分値算出部と、
前記ベタ差分値に基づき、前記対象印刷基材上に前記色材を用いて形成される中間調の面積率からなる印刷物の中間調差分値を算出する中間調差分値算出部と、
前記標準印刷基材上に前記色材を用いて形成される所定の面積率からなる前記カラーチャートに対する実測測色値の関係を規定する標準印刷基材プロファイルを作成する標準印刷基材プロファイル作成部と、
前記中間調差分値を用いて前記標準印刷基材プロファイルを補正し、前記対象印刷基材上に前記色材を用いて形成される印刷物の色を予測する印刷予測プロファイルを作成する印刷予測プロファイル作成部と、
を備え、前記印刷予測プロファイルを用いて印刷物の色を予測することを特徴とする印刷色予測システム。
【請求項１０】
請求項９記載のシステムにおいて、
前記物性値は、印刷に使用する前記色材の固有反射率、散乱係数及び吸収係数のうちの独立な２つの物性値であることを特徴とする印刷色予測システム。
【発明の詳細な説明】
【技術分野】
【０００１】
本発明は、印刷機を用いて作成される印刷物の色を予測する印刷色予測方法及び予測システムに関する。
【背景技術】
【０００２】
印刷物は、例えば、Ｃ、Ｍ、Ｙ、Ｋの各色毎のフイルム原版を作成し、各フイルム原版からＰＳ版（Ｐｒｅｓｅｎｓｉｔｉｚｅｄ  Ｐｌａｔｅ）を焼き付けて現像した後、これらのＰＳ版を輪転機等の印刷機に装着し、印圧、湿し水、温度等の印刷条件を調整して作成される。
【０００３】
このように、印刷物は、複雑な工程で作成されており、所望の色の印刷物を得るため、印刷物の作成に先立ち、カラープリンタ等の簡便な出力装置を用いてプルーフを作成し、そのプルーフを確認して印刷条件を調整することが行われる。
【０００４】
ところで、印刷物の色は、印刷に使用する印刷基材（印刷用紙）や色材（印刷インク）の物理的な特性によって異なるため、これらの組み合わせを考慮してプルーフを作成する必要がある。
【０００５】
そこで、特許文献１に開示された従来技術では、印刷を行う対象印刷基材に特定数のカラーパッチを印刷して測色し、その測色値に基づき、基準の印刷基材を用いて印刷される印刷物のプルーフを作成するためのプロファイルを補正している。
【０００６】
【特許文献１】特開２００６−１２１１２４号公報
【発明の開示】
【発明が解決しようとする課題】
【０００７】
しかしながら、上記の方法では、対象印刷基材や色材が変更される毎に、多数のカラーパッチを対象印刷基材に印刷して測色しなければならないため、プロファイルを補正するのに多大な時間と労力が要求されることになる。
【０００８】
本発明は、前記の不具合を解消するためになされたものであり、対象印刷基材上にカラーチャートを形成して測色することなく、印刷に使用する対象印刷基材や色材の変更に対応した印刷物の色を容易に予測することのできる印刷色予測方法及び予測システムを提供することを目的とする。
【課題を解決するための手段】
【０００９】
本発明の印刷色予測方法は、印刷機を用いて作成される印刷物の色を予測する印刷色予測方法において、
印刷に使用する対象印刷基材の分光反射率と、印刷に使用する色材の物性値とに基づき、前記対象印刷基材上に前記色材を用いて形成される印刷物の色を予測することを特徴とする。
【００１０】
また、本発明の印刷色予測方法は、印刷機を用いて作成される印刷物の色を予測する印刷色予測システムにおいて、
印刷に使用する対象印刷基材の分光反射率と、印刷に使用する色材の物性値とに基づき、前記対象印刷基材上に前記色材を用いて形成される面積率０％及び１００％の組み合わせからなるベタの印刷物の予測測色値を算出するベタ予測測色値算出部と、
標準印刷基材上に前記色材を用いて形成される面積率０％及び１００％の組み合わせからなるベタのカラーチャートの実測測色値と前記予測測色値とのベタ差分値を算出するベタ差分値算出部と、
前記ベタ差分値に基づき、前記対象印刷基材上に前記色材を用いて形成される中間調の面積率からなる印刷物の中間調差分値を算出する中間調差分値算出部と、
前記標準印刷基材上に前記色材を用いて形成される所定の面積率からなる前記カラーチャートの実測測色値と前記中間調差分値とを用いて、前記対象印刷基材上に前記色材を用いて形成される印刷物の色を予測する印刷予測プロファイルを作成する印刷予測プロファイル作成部と、
を備え、前記印刷予測プロファイルを用いて印刷物の色を予測することを特徴とする。
【００１１】
さらに、本発明の印刷色予測システムは、印刷機を用いて作成される印刷物の色を予測する印刷色予測システムにおいて、
印刷に使用する対象印刷基材の分光反射率と、印刷に使用する色材の物性値とに基づき、前記対象印刷基材上に前記色材を用いて形成される面積率０％及び１００％の組み合わせからなるベタの印刷物の予測測色値を算出するベタ予測測色値算出部と、
標準印刷基材上に前記色材を用いて形成される面積率０％及び１００％の組み合わせからなるベタのカラーチャートの実測測色値と前記予測測色値とのベタ差分値を算出するベタ差分値算出部と、
前記ベタ差分値に基づき、前記対象印刷基材上に前記色材を用いて形成される中間調の面積率からなる印刷物の中間調差分値を算出する中間調差分値算出部と、
前記標準印刷基材上に前記色材を用いて形成される所定の面積率からなる前記カラーチャートに対する実測測色値の関係を規定する標準印刷基材プロファイルを作成する標準印刷基材プロファイル作成部と、
前記中間調差分値を用いて前記標準印刷基材プロファイルを補正し、前記対象印刷基材上に前記色材を用いて形成される印刷物の色を予測する印刷予測プロファイルを作成する印刷予測プロファイル作成部と、
を備え、前記印刷予測プロファイルを用いて印刷物の色を予測することを特徴とする。
【発明の効果】
【００１２】
本発明の印刷色予測方法及び予測システムでは、対象印刷基材上にカラーチャートを形成して測色することなく、印刷に使用する対象印刷基材及び色材の物性値と、標準印刷基材上に形成される印刷物の色とに基づき、前記対象印刷基材上に前記色材を用いて形成される印刷物の色を容易且つ高精度に予測することができる。
【発明を実施するための最良の形態】
【００１３】
図１は、本実施形態の印刷色予測システム１０を示す。印刷色予測システム１０は、Ｃ、Ｍ、Ｙ、Ｋの各色を制御するＣＭＹＫ画像データ（Ｃ１、Ｍ１、Ｙ１、Ｋ１）を編集する編集装置１２と、編集されたＣＭＹＫ画像データ（Ｃ１、Ｍ１、Ｙ１、Ｋ１）を用いて印刷物Ｐ１を作成する印刷機１４と、ＣＭＹＫ画像データ（Ｃ１、Ｍ１、Ｙ１、Ｋ１）を、色予測するためのＣＭＹＫ画像データ（Ｃ２、Ｍ２、Ｙ２、Ｋ２）に変換する色変換装置１６と、ＣＭＹＫ画像データ（Ｃ２、Ｍ２、Ｙ２、Ｋ２）を用いて印刷物Ｐ１のプルーフＰ２を作成するプリンタ１８と、色変換装置１６に組み込まれる印刷予測プロファイル２０及びプリンタプロファイル２２を作成するプロファイル作成装置２４とを備える。また、色変換装置１６は、印刷に使用する対象印刷基材（印刷用紙）及び色材（印刷インク）を指定する基材・色材指定部２１と、指定した対象印刷基材及び色材に対応した印刷予測プロファイル２０を選択するプロファイル選択部２３を備える。
【００１４】
印刷予測プロファイル２０は、印刷機１４によって作成される印刷物Ｐ１のデバイスに依存しない測色値（予測測色値）、例えば、三刺激値（Ｘ、Ｙ、Ｚ）を予測するためのプロファイルである。標準とする印刷用紙である標準印刷基材に対して所定の色材を用いて作成される印刷物Ｐ１の印刷予測プロファイル２０は、既知のＣＭＹＫ画像データ（デバイス依存データ）と、このＣＭＹＫ画像データから印刷機１４を用いて標準印刷基材上に形成されたカラーチャートＣ１の測色値とに基づいて作成される。また、対象とする所望の印刷用紙である対象印刷基材Ａに対して所定の色材を用いて作成される印刷物Ｐ１の印刷予測プロファイル２０は、対象印刷基材Ａの分光反射率及び色材の物性値とを用いて、標準印刷基材に対する印刷予測プロファイル２０を補正することで作成される。
【００１５】
プリンタプロファイル２２は、印刷予測プロファイル２０によって予測された印刷物Ｐ１のデバイスに依存しない測色値、例えば、三刺激値（Ｘ、Ｙ、Ｚ）を、プリンタ１８の出力特性に依存するＣＭＹＫ画像データに変換するためのプロファイルであり、既知のＣＭＹＫ画像データと、このＣＭＹＫ画像データからプリンタ１８を用いてプリント用紙であるプリント基材上に形成されたカラーチャートＣ２の測色値とに基づいて作成される。
【００１６】
図２は、プロファイル作成装置２４の構成を示す。プロファイル作成装置２４は、対象印刷基材Ａ及びカラーチャートＣ１、Ｃ２の分光反射率を測定する分光反射率測定器２６と、測定された分光反射率から測色値を算出する測色値算出部２８と、プリンタ１８で作成したカラーチャートＣ２の測色値からプリンタプロファイル２２を作成するプリンタプロファイル作成部３０とを備える。
【００１７】
また、プロファイル作成装置２４は、カラーチャートＣ１及び標準印刷基材の分光反射率を用いて色材の物性値である固有反射率及び散乱係数を算出する色材物性値算出部３２と、対象印刷基材Ａの分光反射率及び色材の物性値を用いて、対象印刷基材Ａ上における網％が１００％（ベタ）の色材の単色及びその重ね合わせ色の予測分光反射率を算出する対象印刷基材ベタ予測反射率算出部３４と、前記予測分光反射率から予測測色値を算出する対象印刷基材ベタ予測測色値算出部３６と、測色値算出部２８で算出したカラーチャートＣ１の測色値及び前記予測測色値を用いて、対象印刷基材Ａ上におけるベタの色材の単色及びその重ね合わせ色に対する予測測色値の差分値を算出する対象印刷基材ベタ差分予測測色値算出部３８と、前記予測測色値の差分値を用いて、Ｃ、Ｍ、Ｙ、Ｋの任意の面積率に対する予測測色値の差分値である中間調差分予測測色値を算出する対象印刷基材中間調差分予測測色値算出部４０と、測色値算出部２８で算出したカラーチャートＣ１の測色値及び対象印刷基材中間調差分予測測色値算出部４０で算出した対象印刷基材Ａでの中間調差分予測測色値を加算する加算器４２と、加算して得られた予測測色値を用いて印刷予測プロファイル２０を作成する印刷予測プロファイル作成部４４とを備える。
【００１８】
本実施形態の印刷色予測システム１０は、基本的には以上のように構成されるものであり、次に、この印刷色予測システム１０を用いた印刷色予測方法について説明する。
【００１９】
先ず、図３に示すフローチャートに基づき、プロファイル作成装置２４における印刷予測プロファイル２０の作成手順について説明する。
【００２０】
編集装置１２から既知のＣＭＹＫ画像データを印刷機１４に供給し、印刷機１４を用いて、標準印刷基材上に所定の色材でカラーチャートＣ１を印刷する（ステップＳ１）。この場合、０％〜１００％の範囲における所定の間隔でＣＭＹＫ画像データの各網％を設定し、多数のカラーパッチ、例えば、１０００程度のカラーパッチからなるカラーチャートＣ１を作成する。
【００２１】
次に、分光反射率測定器２６を用いて、ステップＳ１で作成したカラーチャートＣ１の各カラーパッチ及び標準印刷基材の分光反射率を測定する（ステップＳ２）。
【００２２】
色材物性値算出部３２は、測定されたカラーチャートＣ１及び標準印刷基材の分光反射率を用いて、Ｃ、Ｍ、Ｙ、Ｋの各色材の物性値である固有反射率及び散乱係数を算出する（ステップＳ３）。
【００２３】
この場合、図４において、不透明体からなる分光反射率Ｒｇ１の基材Ｔの上に色材ａを印刷したときの分光反射率をＲ１、基材Ｔの上に他の色材ｂを印刷したときの分光反射率をＲｇ２、基材Ｔの上に色材ｂを介して色材ａを印刷したときの分光反射率をＲ２（Ｒ１＞Ｒ２）とすると、色材ａを無限の厚みとしたときの分光反射率である固有反射率Ｒ∞は、
Ｒ∞＝｛Ｃ＋√（Ｃ2−４）｝／２                                  …（１）
但し、
Ｃ＝｛（Ｒ１＋Ｒｇ２）（Ｒ２・Ｒｇ１−１）−（Ｒ２＋Ｒｇ１）（Ｒ１・Ｒｇ２−１）｝／（Ｒ２・Ｒｇ１−Ｒ１・Ｒｇ２）                        …（２）
として求めることができる（紙の特集：「たかが紙、されど紙、やはり紙」、“紙の特性と評価方法及び規格の動向” （２００４、日本画像学会誌１５０）  参照）。Ｒ１＜Ｒ２の場合は、（２）式の添え字１及び２を逆にする。
【００２４】
なお、分光反射率Ｒｇ１は、カラーチャートＣ１が印刷された標準印刷基材の分光反射率を測定し、分光反射率Ｒ１、Ｒ２、Ｒｇ２は、網％が１００％（ベタ）の単色及び重ね合わせ色の対応するカラーパッチの分光反射率を測定して得ることができる。この場合、分光反射率Ｒｇ１は、標準印刷基材の分光反射率に限定されるものではなく、任意の基材の分光反射率を用いて求めることができる。
【００２５】
また、基材Ｔが透明又は半透明である場合には、図５に示すように、基材Ｔの下を白バックＷとしたときの色材ａ及び基材Ｔの分光反射率Ｒ１、Ｒｇ１と、基材Ｔの下を黒バックＢとしたときの色材ａ及び基材Ｔの分光反射率Ｒ２、Ｒｇ２とを用いて、（１）色より固有反射率Ｒ∞を求めることができる。なお、色材ａを十分に厚く形成することが可能であれば、固有反射率Ｒ∞を直接測定して求めてもよい。
【００２６】
色材の散乱係数Ｓは、色材の膜厚をｘとすると、
Ｓ・ｘ＝ｌｎ［｛（Ｒ∞−Ｒｇｎ）（１／Ｒ∞−Ｒｎ）｝／｛（Ｒ∞−Ｒｎ）（１／Ｒ∞−Ｒｇｎ）｝］／（１／Ｒ∞−Ｒ∞）                              …（３）
の関係から求めることができる（「色彩再現の基礎と応用技術」８８ページ（２１）式（トリケップス）  参照）。但し、Ｒｎは、Ｒ１又はＲ２、Ｒｇｎは、Ｒｇ１又はＲｇ２である。なお、膜厚ｘを測定することは困難であるから、以下の説明では、Ｓｘ＝Ｓ・ｘとし、Ｓｘを膜厚ｘのときの散乱係数とする。
【００２７】
以上のようにして、Ｃ、Ｍ、Ｙ、Ｋの各色材の固有反射率Ｒ∞及び散乱係数Ｓｘを求めることができる。
【００２８】
次に、分光反射率測定器２６を用いて任意の対象印刷基材Ａの分光反射率Ｒｇを測定した後（ステップＳ４）、対象印刷基材ベタ予測反射率算出部３４において、対象印刷基材Ａの分光反射率Ｒｇと、色材物性値算出部３２で算出した各色材の固有反射率Ｒ∞及び散乱係数Ｓｘとを用いて、対象印刷基材ベタ予測反射率Ｒを、
Ｒ＝［（Ｒｇ−Ｒ∞）／Ｒ∞−Ｒ∞（Ｒｇ−１／Ｒ∞）ｅｘｐ｛Ｓｘ（１／Ｒ∞−Ｒ∞）｝］／［（Ｒｇ−Ｒ∞）−（Ｒｇ−１／Ｒ∞）ｅｘｐ｛Ｓｘ（１／Ｒ∞−Ｒ∞）｝］                                                          …（４）
として求める（ステップＳ５）。なお、（４）式は、色材の固有反射率Ｒ∞及び散乱係数Ｓｘを用いたクベルカ・ムンク（Ｋｕｂｅｌｋａ・Ｍｕｎｋ）理論式である（“Ｎｅｗ  Ｃｏｎｔｒｉｂｕｔｉｏｎｓ  ｔｏ  ｔｈｅ  Ｏｐｔｉｃｓ  ｏｆ  Ｉｎｔｅｎｓｅｌｙ  Ｌｉｇｈｔ−Ｓｃａｔｔｅｒｉｎｇ  Ｍａｔｅｒｉａｌｓ．Ｐａｒｔ  Ｉ、ＪＯＵＲＮＡＬ  ＯＦ  ＴＨＥ  ＯＰＴＩＣＡＬ  ＳＯＣＩＥＴＹ  ＯＦ  ＡＭＥＲＩＣＡ、ＶＯＬＵＭＥ３８、ＮＵＭＢＥＲ５、ＭＡＹ、１９４８  参照）。
【００２９】
ここで、（４）式におけるＣ、Ｍ、Ｙ、Ｋの各色材の対象印刷基材ベタ予測反射率Ｒは、図６に示すように、対象印刷基材Ａ上にＣ、Ｍ、Ｙ、Ｋのベタの単色を形成した場合の分光反射率（図６では、Ｃの単色を例示し、その分光反射率をＲ＝Ｒｃとする。）、及び、Ｃ、Ｍ、Ｙ、Ｋのベタの単色を重ね合わせた場合の分光反射率（図６では、Ｃ、Ｍの重ね合わせ、Ｃ、Ｍ、Ｙの重ね合わせ、及び、Ｃ、Ｍ、Ｙ、Ｋの重ね合わせを例示し、それぞれの分光反射率をＲ＝Ｒｃｍ、Ｒｃｍｙ、Ｒｃｍｙｋとする。）である。また、分光反射率Ｒｇは、最上部に形成される色材の直下における分光反射率である。
【００３０】
なお、固有反射率Ｒ∞、散乱係数Ｓ及び吸収係数Ｋの間には、
Ｋ／Ｓ＝（１−Ｒ∞）2／２Ｒ∞                                  …（５）
の関係がある。従って、対象印刷基材ベタ予測反射率Ｒは、これらの物性値のうちの独立な２つの物性値、例えば、色材の散乱係数Ｓ（Ｓｘ）及び吸収係数Ｋによる以下の（６）式で表されるクベルカ・ムンク理論式を用いて求めてもよい。    Ｒ＝［１−Ｒｇ｛ａ−ｂ・ｃｏｔｈ（ｂ・Ｓｘ）｝］／｛ａ＋ｂ・ｃｏｔｈ（ｂ・Ｓｘ）−Ｒｇ｝                                                      …（６）
但し、
ａ＝（Ｓ＋Ｋ）／Ｓ
ｂ＝√（ａ2−１）
ｃｏｔｈ（ｔ）＝（ｅt＋ｅ-t）／（ｅt−ｅ-t）
【００３１】
対象印刷基材ベタ予測測色値算出部３６では、対象印刷基材ベタ予測反射率算出部３４で算出した対象印刷基材ベタ予測反射率Ｒから予測値である対象印刷基材ベタ予測測色値Ｘａ、Ｙａ、Ｚａを算出する（ステップＳ６）。なお、この対象印刷基材ベタ予測測色値Ｘａ、Ｙａ、Ｚａには、対象印刷基材Ａの実測値である分光反射率Ｒｇから算出される対象印刷基材測色値が含まれるものとする。
【００３２】
一方、測色値算出部２８は、分光反射率測定器２６により測定した標準印刷基材上のカラーチャートＣ１の分光反射率Ｒｓのうち、Ｃ、Ｍ、Ｙ、Ｋのベタの単色パッチ及びそれらを重ね合わせた色パッチの分光反射率から、実測値である標準印刷基材ベタ測色値Ｘｓ、Ｙｓ、Ｚｓを算出する（ステップＳ７）。なお、この標準印刷基材ベタ測色値Ｘｓ、Ｙｓ、Ｚｓには、標準印刷基材の分光反射率Ｒｓから算出される標準印刷基材測色値が含まれるものとする。
【００３３】
そこで、対象印刷基材ベタ差分予測測色値算出部３８は、対象印刷基材ベタ予測測色値算出部３６で算出した対象印刷基材ベタ予測測色値Ｘａ、Ｙａ、Ｚａと、測色値算出部２８で算出した標準印刷基材ベタ測色値Ｘｓ、Ｙｓ、Ｚｓとの差分値である対象印刷基材ベタ差分予測測色値ｄＸ、ｄＹ、ｄＺを、Ｃ、Ｍ、Ｙ、Ｋの対応するベタの単色及びそれらを重ね合わせた色毎に、
ｄＸ＝Ｘａ−Ｘｓ                                              …（７）
ｄＹ＝Ｙａ−Ｙｓ                                              …（８）
ｄＺ＝Ｚａ−Ｚｓ                                              …（９）
として算出する（ステップＳ８）。
【００３４】
次に、対象印刷基材中間調差分予測測色値算出部４０は、対象印刷基材ベタ差分予測測色値算出部３８で算出した対象印刷基材ベタ差分予測測色値ｄＸ、ｄＹ、ｄＺを、Ｃ、Ｍ、Ｙ、Ｋの各面積率に応じて配分することにより、対象印刷基材Ａ上に形成されるＣ、Ｍ、Ｙ、Ｋの中間調に対する対象印刷基材中間調差分予測測色値ｄＸｔ、ｄＹｔ、ｄＺｔを算出する（ステップＳ９）。
【００３５】
この場合、対象印刷基材中間調差分予測測色値ｄＸｔ、ｄＹｔ、ｄＺｔは、例えば、ノイゲバウア式を用いて、以下の（１０）式のようにして求めることができる。なお、（１０）式は、説明の便宜上、Ｃ、Ｍ、Ｙの３色について表したものであるが、Ｃ、Ｍ、Ｙ、Ｋの４色、あるいは、５色以上にも容易に適用できることは明らかである。（１０）式において、ｄＸｗは、対象印刷基材測色値Ｘａと標準印刷基材測色値Ｘｓとの差分値、ｄＸｃ、ｄＸｍ、ｄＸｙは、Ｃ、Ｍ、Ｙのベタの単色パッチの差分値、ｄＸｃｍ等は、Ｃ、Ｍ、Ｙのベタの単色を重ね合わせた色パッチの差分値を表す。他の測色値Ｙ、Ｚについても同様である。また、ｃ、ｍ、ｙは、Ｃ、Ｍ、Ｙの面積率であり、例えば、ｃ、ｍ、ｙの値を０と１との間で０．１ずつ変化させることで、中間調の差分値である対象印刷基材中間調差分予測測色値ｄＸｔ、ｄＹｔ、ｄＺｔを得ることができる。
【００３６】
【数１】
0004889586.tif 000002
【００３７】
以上のようにして算出された対象印刷基材中間調差分予測測色値ｄＸｔ、ｄＹｔ、ｄＺｔは、加算器４２において、カラーチャートＣ１の各カラーパッチの分光反射率から測色値算出部２８で算出した標準印刷基材中間調測色値Ｘｔ、Ｙｔ、Ｚｔに加算され、対象印刷基材中間調予測測色値Ｘ、Ｙ、Ｚが、
Ｘ＝Ｘｔ＋ｄＸｔ                                            …（１１）
Ｙ＝Ｙｔ＋ｄＹｔ                                            …（１２）
Ｚ＝Ｚｔ＋ｄＺｔ                                            …（１３）
として算出される。そして、カラーチャートＣ１を作成したＣＭＹＫ画像データと対象印刷基材中間調予測測色値Ｘ、Ｙ、Ｚとの関係として、印刷予測プロファイル２０が作成される（ステップＳ１０）。
【００３８】
作成された印刷予測プロファイル２０は、色変換装置１６に設定される。この場合、印刷予測プロファイル２０は、対象印刷基材Ａ及び使用する色材の組み合わせに応じて作成し、色変換装置１６に設定することができる。
【００３９】
なお、上記の説明では、対象印刷基材中間調予測測色値Ｘ、Ｙ、Ｚを算出し、それを用いて印刷予測プロファイル２０を作成するようにしているが、図７に示すように、標準印刷基材上に形成されたカラーチャートＣ１の測定値に基づき、標準印刷基材プロファイル作成部４８において標準印刷基材プロファイルを作成しておき、対象印刷基材プロファイル作成部５０において、標準印刷基材プロファイルを構成する標準印刷基材中間調測色値Ｘｔ、Ｙｔ、Ｚｔに、対象印刷基材中間調差分予測測色値算出部４０で算出した対象印刷基材中間調差分予測測色値ｄＸｔ、ｄＹｔ、ｄＺｔを加算することで、所望の対象印刷基材Ａに対する印刷予測プロファイル２０を作成するようにしてもよい。
【００４０】
次に、図８に示すフローチャートに基づき、プロファイル作成装置２４におけるプリンタプロファイル２２の作成手順について説明する。
【００４１】
この場合、色変換装置１６から既知のＣＭＹＫ画像データをプリンタ１８に供給し、カラーチャートＣ１を印刷する場合（ステップＳ１）と同様にして、複数のカラーパッチからなるカラーチャートＣ２をプリント基材上に出力する（ステップＳ１１）。
【００４２】
次いで、カラーチャートＣ２の各カラーパッチを分光反射率測定器２６によって測定して分光反射率Ｒｐを得（ステップＳ１２）、測色値算出部２８により、例えば、分光反射率Ｒｐから三刺激値（Ｘ、Ｙ、Ｚ）を算出する（ステップＳ１３）。そして、この三刺激値（Ｘ、Ｙ、Ｚ）と、カラーチャートＣ２の作成に使用したＣＭＹＫ画像データとの関係であるプリンタプロファイル２２を作成する（ステップＳ１４）。作成されたプリンタプロファイル２２は、色変換装置１６に設定される。
【００４３】
以上のようにして、対象印刷基材Ａ及び色材に対応した印刷予測プロファイル２０及びプリンタプロファイル２２を設定した後、所望のＣＭＹＫ画像データ（Ｃ１、Ｍ１、Ｙ１、Ｋ１）から得られる印刷物Ｐ１に対するプルーフＰ２を作成する。
【００４４】
そこで、図９に示すフローチャートに基づき、プルーフＰ２の作成手順について説明する。
【００４５】
編集装置１２は、所望のＣＭＹＫ画像データ（Ｃ１、Ｍ１、Ｙ１、Ｋ１）を作成し（ステップＳ２１）、色変換装置１６に供給する。色変換装置１６では、印刷機１４で使用する対象印刷基材及び色材が基材・色材指定部２１によって指定され（ステップＳ２２）、指定された対象印刷基材及び色材に対応する印刷予測プロファイル２０がプロファイル選択部２３によって選択される（ステップＳ２３）。
【００４６】
そこで、色変換装置１６は、選択された印刷予測プロファイル２０を用いて、デバイス依存データであるＣＭＹＫ画像データ（Ｃ１、Ｍ１、Ｙ１、Ｋ１）を、デバイス非依存データである三刺激値（Ｘ、Ｙ、Ｚ）に変換する（ステップＳ２４）。
【００４７】
次いで、三刺激値（Ｘ、Ｙ、Ｚ）は、プリンタプロファイル２２によってプリンタ１８の出力特性に依存したＣＭＹＫ画像データ（Ｃ２、Ｍ２、Ｙ２、Ｋ２）に変換され（ステップＳ２５）、このＣＭＹＫ画像データ（Ｃ２、Ｍ２、Ｙ２、Ｋ２）を用いてプルーフＰ２が作成される（ステップＳ２６）。
【００４８】
そこで、オペレータは、プルーフＰ２を確認し、必要に応じてＣＭＹＫ画像データ（Ｃ１、Ｍ１、Ｙ１、Ｋ１）を調整し、再度プルーフＰ２を作成する処理を繰り返す（ステップＳ２７）。所望のプルーフＰ２が得られたとき、このＣＭＹＫ画像データ（Ｃ１、Ｍ１、Ｙ１、Ｋ１）を印刷機１４に供給して印刷物Ｐ１を作成する。
【００４９】
なお、上述した実施形態では、色変換装置１６において、印刷予測プロファイル２０を用いて、ＣＭＹＫ画像データ（Ｃ１、Ｍ１、Ｙ１、Ｋ１）から三刺激値（Ｘ、Ｙ、Ｚ）を求めた後、プリンタプロファイル２２を用いて、三刺激値（Ｘ、Ｙ、Ｚ）からＣＭＹＫ画像データ（Ｃ２、Ｍ２、Ｙ２、Ｋ２）を求めるものとして説明したが、三刺激値（Ｘ、Ｙ、Ｚ）に代えて、例えば、測色値Ｌ*、ａ*、ｂ*を介してＣＭＹＫ画像データ（Ｃ１、Ｍ１、Ｙ１、Ｋ１）からＣＭＹＫ画像データ（Ｃ２、Ｍ２、Ｙ２、Ｋ２）を求めるようにしてもよい。
【００５０】
また、印刷予測プロファイル２０とプリンタプロファイル２２とを１つのプロファイルに合成し、このプロファイルを用いてＣＭＹＫ画像データ（Ｃ１、Ｍ１、Ｙ１、Ｋ１）から直接ＣＭＹＫ画像データ（Ｃ２、Ｍ２、Ｙ２、Ｋ２）を求めるようにしてもよい。
【００５１】
さらに、印刷色予測システム１０では、プリンタ１８を用いてプルーフＰ２を作成するよう構成しているが、プリンタ１８に代えて、例えば、カラーモニタにプルーフＰ２を表示するようにしてもよい。この場合、プロファイル作成装置２４は、カラーモニタに表示させたカラーチャートＣ２を測色することでモニタプロファイルを作成し、このモニタプロファイルを色変換装置１６に設定することになる。
【００５２】
さらにまた、Ｃ、Ｍ、Ｙ、Ｋの４色のデバイス依存データに対するプロファイルを作成する場合に限られるものではなく、２色以上の任意の色数からなるデバイス依存データに対する印刷予測プロファイル２０を作成する場合にも適用することができる。
【図面の簡単な説明】
【００５３】
【図１】本実施形態の印刷色予測システムの全体構成図である。
【図２】図１に示すプロファイル作成装置の構成ブロック図である。
【図３】印刷予測プロファイルの作成フローチャートである。
【図４】色材物性値の算出方法の説明図である。
【図５】色材物性値の算出方法の説明図である。
【図６】対象印刷基材ベタ予測反射率の算出方法の説明図である。
【図７】図１に示すプロファイル作成装置の他の実施形態の構成ブロック図である。
【図８】プリンタプロファイルの作成フローチャートである。
【図９】プルーフの作成フローチャートである。
【符号の説明】
【００５４】
１０…印刷色予測システム
１２…編集装置
１４…印刷機
１６…色変換装置
１８…プリンタ
２０…印刷予測プロファイル
２１…基材・色材指定部
２２…プリンタプロファイル
２３…プロファイル選択部
２４…プロファイル作成装置
２６…分光反射率測定器
２８…測色値算出部
３０…プリンタプロファイル作成部
３２…色材物性値算出部
３４…対象印刷基材ベタ予測反射率算出部
３６…対象印刷基材ベタ予測測色値算出部
３８…対象印刷基材ベタ差分予測測色値算出部
４０…対象印刷基材中間調差分予測測色値算出部
４２…加算器
４４…印刷予測プロファイル作成部
４８…標準印刷基材プロファイル作成部
５０…対象印刷基材プロファイル作成部
Ａ…対象印刷基材
Ｃ１、Ｃ２…カラーチャート
Ｐ１…印刷物
Ｐ２…プルーフ
【図１】
0004889586.tif 000003
【図２】
0004889586.tif 000004
【図３】
0004889586.tif 000005
【図４】
0004889586.tif 000006
【図５】
0004889586.tif 000007
【図６】
0004889586.tif 000008
【図７】
0004889586.tif 000009
【図８】
0004889586.tif 000010
【図９】
0004889586.tif 000011